(57)【要約】【課題】より意匠性の高いケースを提供すること。【解決手段】第１の辺と３つの折り曲げ部により分けられた４つの領域を有するケースであって、第１領域は外周上の２辺と前記第１の辺と第１折り曲げ部とからなり、第２領域は外周上の２辺と前記第１折り曲げ部と第２折り曲げ部とからなり、第３領域は外周上の２辺と前記第２折り曲げ部と第３折り曲げ部とからなり、第４領域は外周上の２辺と前記第３折り曲げ部と第２の辺とからなり、前記第４領域内に記憶媒体を収容可能且つ前記第１の辺を含む側縁部と係合可能な係合部を有し、前記第１及び第２領域の合計面積は前記第３及び第４領域の各面積と略同等であり、前記第４領域を前記第３領域に重ね合わせ、前記第１及び第２領域を前記第４領域に重ね合わせられると共に、前記第１〜第３折り曲げ部を折り曲げて、前記側縁部を前記係合部と係合させると、前記側縁部の垂直断面が三角形状に組み立て可能である。【選択図】図１
2020196528.tif 000002
【特許請求の範囲】
【請求項１】
外周の長手方向の一端に位置する第１の辺と並行な３つの折り曲げ部により分けられた４つの領域を有する薄板状の記憶媒体を保持可能なケースであって、
第１領域は、互いに対向する外周上の２辺と、前記第１の辺と、第１折り曲げ部とからなり、
第２領域は、互いに対向する外周上の２辺と、前記第１折り曲げ部と、第２折り曲げ部とからなり、
第３領域は、互いに対向する外周上の２辺と、前記第２折り曲げ部と、第３折り曲げ部とからなり、
第４領域は、互いに対向する外周上の２辺と、前記第３折り曲げ部と、外周の長手方向の他端に位置する第２の辺とからなり、
前記第４領域内に前記記憶媒体を収容可能で、且つ前記第１の辺を含む側縁部と係合可能な切り込みからなる係合部を有し、
前記第１領域と前記第２領域の合計面積は、前記第３領域と前記第４領域の各領域の面積と略同等であって、
前記第３折り曲げ部を折り曲げて、前記第４領域を前記第３領域に重ね合わせ、更に前記第２折り曲げ部を折り曲げて、前記第１領域及び前記第２領域を前記第４領域に重ね合わせられると共に、
前記第１折り曲げ部、前記第２折り曲げ部及び前記第３折り曲げ部をそれぞれ折り曲げて、前記側縁部を前記第４領域の前記係合部と係合させると、前記側縁部の垂直断面が三角形状に組み立て可能であるケース。
【請求項２】
請求項１に記載のケースにおいて、
前記第１折り曲げ部、前記第２折り曲げ部及び前記第３折り曲げ部をそれぞれ谷折りして、前記側縁部を前記第４領域の前記係合部と係合させると、前記第１領域から前記第４領域までのそれぞれの第１面が外側を向くように前記側縁部の垂直断面が三角形状に組み立てられ、組み立て状態において前記第４領域の前記係合部に前記記憶媒体を係合させると、前記第４領域の外側に前記記憶媒体が保持され、
前記第１折り曲げ部、前記第２折り曲げ部及び前記第３折り曲げ部をそれぞれ山折りして、前記側縁部を前記第４領域の前記係合部と係合させると、前記第１領域から前記第４領域までのそれぞれの前記第１面とは反対側の第２面が外側を向くように前記側縁部の垂直断面が三角形状に組み立てられ、組み立て状態において前記第４領域の前記係合部に前記記憶媒体を係合させると、前記第４領域の外側に前記記憶媒体が保持されるケース。
【請求項３】
請求項１又は２に記載のケースにおいて、
前記第４領域の前記係合部は、前記第３領域の側に向けて凸形となる第１係合片と、前記第３領域とは反対の側に向けて凸形となり、前記第１係合片を挟むようにして設けられた一対の第２係合片と、を備え、
組み立て時において、前記第１係合片と前記第２係合片との間に前記側縁部が挟み込まれることにより前記第１領域と係合し、
組み立て状態において、前記側縁部と前記第１係合片との間に前記記憶媒体が挟み込まれることにより前記記憶媒体を保持するケース。
【請求項４】
請求項３に記載のケースにおいて、
前記第２係合片は、前記側縁部と前記第１係合片との間に挟み込まれた前記記憶媒体の外周部分と沿うように円弧状に形成されているケース。
【請求項５】
前記請求項３又は４に記載のケースにおいて、
前記第１係合片は、前記側縁部と前記第１係合片との間に挟み込まれた前記記憶媒体の少なくとも略中央を覆うように形成されているケース。
【発明の詳細な説明】
【技術分野】
【０００１】
本発明は、薄板状の記憶媒体を保持するケースに関する。
【背景技術】
【０００２】
従来、ＣＤ、ＤＶＤ等の薄板状の記憶媒体は、店頭や通販で販売されたり、雑誌や書籍の付録として添付されたりする。このような使用形態においては、記憶媒体を収納するための専用のケースが使用されている（例えば、特許文献１、２参照）。
【先行技術文献】
【特許文献】
【０００３】
【特許文献１】登録実用新案第３０５２７２１号公報
【特許文献２】登録実用新案第３０６８７９１号公報
【発明の概要】
【発明が解決しようとする課題】
【０００４】
上述した従来のケースは、いずれも平面的な形状であり、意匠性に乏しい。そのため、より意匠性の高いケースが求められている。
【０００５】
本発明の目的は、より意匠性の高いケースを提供することにある。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
第１の発明は、外周の長手方向の一端に位置する第１の辺（１ａ）と並行な３つの折り曲げ部により分けられた４つの領域を有する薄板状の記憶媒体を保持可能なケースであって、第１領域（１０）は、互いに対向する外周上の２辺（１ｃ、１ｄ）と、前記第１の辺と、第１折り曲げ部（Ｓ１）とからなり、第２領域（２０）は、互いに対向する外周上の２辺（１ｅ、１ｆ）と、前記第１折り曲げ部と、第２折り曲げ部（Ｓ２）とからなり、第３領域（３０）は、互いに対向する外周上の２辺（１ｇ、１ｈ）と、前記第２折り曲げ部と、第３折り曲げ部（Ｓ３）とからなり、第４領域（４０）は、互いに対向する外周上の２辺（１ｉ、１ｊ）と、前記第３折り曲げ部と、外周の長手方向の他端に位置する第２の辺（１ｂ）とからなり、前記第４領域内に前記記憶媒体を収容可能で、且つ前記第１の辺を含む側縁部（１０ａ）と係合可能な切り込みからなる係合部（１４０）を有し、前記第１領域と前記第２領域の合計面積は、前記第３領域と前記第４領域の各領域の面積と略同等であって、前記第３折り曲げ部を折り曲げて、前記第４領域を前記第３領域に重ね合わせ、更に前記第２折り曲げ部を折り曲げて、前記第１領域及び前記第２領域を前記第４領域に重ね合わせられると共に、前記第１折り曲げ部、前記第２折り曲げ部及び前記第３折り曲げ部をそれぞれ折り曲げて、前記側縁部を前記第４領域の前記係合部と係合させると、前記側縁部の垂直断面が三角形状に組み立て可能であるケース（１）に関する。
第２の発明は、第１の発明に係るケースにおいて、前記第１折り曲げ部、前記第２折り曲げ部及び前記第３折り曲げ部をそれぞれ谷折りして、前記側縁部を前記第４領域の前記係合部と係合させると、前記第１領域から前記第４領域までのそれぞれの第１面（Ｆ１）が外側を向くように前記側縁部の垂直断面が三角形状に組み立てられ、組み立て状態において前記第４領域の前記係合部に前記記憶媒体を係合させると、前記第４領域の外側に前記記憶媒体が保持され、前記第１折り曲げ部、前記第２折り曲げ部及び前記第３折り曲げ部をそれぞれ山折りして、前記側縁部を前記第４領域の前記係合部と係合させると、前記第１領域から前記第４領域までのそれぞれの前記第１面とは反対側の第２面（Ｆ２）が外側を向くように前記側縁部の垂直断面が三角形状に組み立てられ、組み立て状態において前記第４領域の前記係合部に前記記憶媒体を係合させると、前記第４領域の外側に前記記憶媒体が保持される。
第３の発明は、第１又は第２の発明に係るケースにおいて、前記第４領域の前記係合部は、前記第３領域の側に向けて凸形となる第１係合片（１４１）と、前記第３領域とは反対の側に向けて凸形となり、前記第１係合片を挟むようにして設けられた一対の第２係合片（１４２）と、を備え、組み立て時において、前記第１係合片と前記第２係合片との間に前記側縁部が挟み込まれることにより前記第１領域と係合し、組み立て状態において、前記側縁部と前記第１係合片との間に前記記憶媒体が挟み込まれることにより前記記憶媒体を保持する。
第４の発明は、第３の発明に係るケースにおいて、前記第２係合片は、前記側縁部と前記第１係合片との間に挟み込まれた前記記憶媒体の外周部分と沿うように円弧状に形成されている。
第５の発明は、第３又は第４の発明に係るケースにおいて、前記第１係合片は、前記側縁部と前記第１係合片との間に挟み込まれた前記記憶媒体の少なくとも略中央を覆うように形成されている。
【発明の効果】
【０００７】
本発明によれば、より意匠性の高いケースを提供できる。
【図面の簡単な説明】
【０００８】
【図１】展開したケース１を第２面Ｆ２側から見たときの平面図である。
【図２】展開したケース１を第１面Ｆ１側から見たときの平面図である。
【図３】（Ａ）〜（Ｃ）は、ケース１の内部にディスク２を収納する場合の手順を示す図である。
【図４】（Ａ）、（Ｂ）は、ケース１の組み立て手順を示す図である。
【図５】（Ｃ）、（Ｄ）は、ケース１の組み立て手順を示す図である。
【図６】（Ａ）、（Ｂ）は、組み立てられたケース１の斜視図である。
【図７】組み立てられたケース１の他の使用形態を示す斜視図である。
【図８】ケース１の他の実施形態を示す斜視図である。
【発明を実施するための形態】
【０００９】
以下、本発明の実施形態について説明する。本明細書に添付した各図面は、いずれも模式図であり、理解しやすさを考慮して、各部の形状、縮尺、縦横の寸法比等を、実物から適宜に変更又は誇張している。
本明細書中に記載する数値、形状、材料名等は、実施形態としての一例であり、これに限定されるものではなく、適宜に選択して使用してよい。
【００１０】
実施形態の各図面においては、部材の形状、輪郭を実線又は破線で表し、厚み部分の図示を適宜に省略している。本明細書中において、形状、幾何学的条件、これらの程度を特定する用語、例えば、「直交」、「方向」等の用語については、その用語の厳密な意味に加えて、ほぼ直交等とみなせる程度の範囲、概ねその方向とみなせる範囲を含む。また、図面においては、部材の断面を示すハッチングを適宜に省略する。
【００１１】
実施形態では、図面（一部の図を除く）にＸＹＺの互いに直交する座標系を記載した。この座標系は、組み立てたケース１を正面から見たときの左右方向をＸ方向、前後方向をＹ方向、上下方向をＺ方向とする（図６（Ａ）参照）。左右方向（Ｘ方向）においては、右方向をＸ１方向とし、左方向をＸ２方向とする。前後方向（Ｙ方向）においては、前方向をＹ１方向とし、後方向をＹ２方向とする。上下方向（Ｚ方向）においては、上方向をＺ１方向とし、下方向をＺ２方向とする。なお、本明細書においては、「〜方向」を適宜に「〜側」ともいう。
【００１２】
図１は、展開したケース１を第２面Ｆ２側から見たときの平面図である。図２は、展開したケース１を第１面Ｆ１側から見たときの平面図である。
展開したケース１の左右方向及び前後方向を他の図面と合わせるため、図１及び図２では、展開したケース１の短手方向をＸ方向（左右方向）、長手方向をＹ方向（前後方向）として説明する。
【００１３】
本実施形態のケース１は、例えば、ＣＤ、ＤＶＤ等の薄板状の記録媒体（以下、「ディスク２」ともいう）を、店頭や通販で販売したり、雑誌や書籍の付録として添付したりする場合に用いることができる。ケース１と共にディスク２を入手した顧客は、後述するように、ディスク２をケース１内に収納して使用することもできるし、ディスク２を保持したケース１を自立させて使用することもできる。
【００１４】
図１及び図２に示すように、本実施形態のケース１は、矩形状のシート状の部材により形成されている。ケース１は、図１に示すように、外周の長手方向のＹ２側の端に位置する第１の辺１ａと、外周の長手方向のＹ１側の端に位置する第２の辺１ｂと、外周の短手方向のＸ２側の端に位置する第３の辺１ｃ、第５の辺１ｅ、第７の辺１ｇ及び第９の辺１ｉと、外周の短手方向のＸ１側の端に位置する第４の辺１ｄ、第６の辺１ｆ、第８の辺１ｈ及び第１０の辺１ｊと、を有する。ケース１は、第１の辺１ａと並行な、後述する折り曲げ部（Ｓ１〜Ｓ３）により、第１領域１０、第２領域２０、第３領域３０及び第４領域４０に分かれている。
展開した状態のケース１は、長手方向のＹ２側からＹ１側に向かって、第１領域１０、第２領域２０、第３領域３０及び第４領域４０が、この順に連なって設けられている。ケース１を形成するシート状の部材としては、例えば、紙、樹脂等の材料が挙げられる。
【００１５】
なお、ケース１として用いられるシート状の部材は、表面にイラスト、写真、商品に関する情報等を印刷可能な材質又はこれらを印刷したシールを貼り付け可能な材質であることが望ましい。また、ディスク２を保持した状態でケース１を自立させることができるように、ある程度の強度と厚みを有する材質を選択することがより望ましい。
【００１６】
第１領域１０は、展開した状態のケース１において、最もＹ２側に位置する領域である。第１領域１０は、外周の短手方向（Ｘ方向）の端に位置し、互いに対向する第３の辺１ｃ及び第４の辺１ｄと、第１の辺１ａと、第１折り曲げ部Ｓ１と、を有する。また、第１領域１０は、外周の長手方向のＹ２側に、第１の辺１ａを含む側縁部１０ａを有する。後述するように、ケース１の組み立て時において、第１領域１０のＹ２側の側縁部１０ａは、第４領域４０の係合部１４０に係合される。
第２領域２０は、第１領域１０のＹ１側に位置する領域である。第１領域１０と第２領域２０との間には、第１折り曲げ部Ｓ１が設けられている。第１折り曲げ部Ｓ１は、第１領域１０と第２領域２０との間において、折り目加工が短手方向（Ｘ方向）に沿って施された部分である。第２領域２０は、外周の短手方向（Ｘ方向）の端に位置し、互いに対向する第５の辺１ｅ及び第６の辺１ｆと、第１折り曲げ部Ｓ１と、第２折り曲げ部Ｓ２（後述）と、から構成される。ケース１は、第１折り曲げ部Ｓ１において、第１領域１０と第２領域２０との間を谷折り又は山折りすることができる。
【００１７】
第３領域３０は、第２領域２０のＹ１側に位置する領域である。第２領域２０と第３領域３０との間には、第２折り曲げ部Ｓ２が設けられている。第２折り曲げ部Ｓ２は、第２領域２０と第３領域３０との間において、折り目加工が短手方向（Ｘ方向）に沿って施された部分である。第３領域３０は、外周の短手方向（Ｘ方向）の端に位置し、互いに対向する第７の辺１ｇ及び第８の辺１ｈと、第２折り曲げ部Ｓ２と、第３折り曲げ部Ｓ３（後述）と、から構成される。ケース１は、第２折り曲げ部Ｓ２において、第２領域２０と第３領域３０との間を谷折り又は山折りすることができる。図１に示すように、第３領域３０の第２面Ｆ２側には、装飾Ｄ２が形成されている。
【００１８】
一方、図２に示すように、第３領域３０の第１面Ｆ１側には、装飾Ｄ１が形成されている。装飾Ｄ１及びＤ２（以下、「装飾」ともいう）は、例えば、イラスト、写真、絵柄、図柄、模様等である。また、例えば、ディスク２が音楽ＣＤである場合、装飾は、演奏者のイラスト、写真であったりする。また、装飾は、ディスク２に記憶された楽曲の歌詞（文字情報）であったりする。これらの装飾は、例えば、オフセット印刷等により形成される。更に、装飾は、例えば、月捲りカレンダーのような立体的な装飾でもよい。ケース１の装飾として、月捲りカレンダーを設けた具体例については、後述する。
【００１９】
第４領域４０は、第３領域３０のＹ１側に位置する領域である。第３領域３０と第４領域４０との間には、第３折り曲げ部Ｓ３が設けられている。第３折り曲げ部Ｓ３は、第３領域３０と第４領域４０との間において、折り目加工が短手方向（Ｘ方向）に沿って施された部分である。第４領域４０は、外周の短手方向（Ｘ方向）の端に位置し、互いに対向する第９の辺１ｉ及び第１０の辺１ｊと、第３折り曲げ部Ｓ３と、第２の辺１ｂと、から構成される。ケース１は、第３折り曲げ部Ｓ３において、第３領域３０と第４領域４０との間を谷折り又は山折りすることができる。
【００２０】
第４領域４０には、係合部１４０が設けられている。係合部１４０は、組み立て時において、第１領域１０の側縁部１０ａと係合する部分である。また、係合部１４０は、例えば、組み立てられた状態でディスク２が保持される部分である。係合部１４０は、第１係合片１４１及び第２係合片１４２を備える。第１係合片１４１と第２係合片１４２との間には、波形の切り込み１４３が形成されている。第１係合片１４１は、第３領域３０の側（Ｙ２側）に向けて凸形となる部分である。第２係合片１４２は、第３領域３０とは反対の側（Ｙ１側）に向けて凸形となる部分である。第２係合片１４２は、第１係合片１４１を挟むように一対設けられている。
【００２１】
図１に示すように、第２係合片１４２の左右方向（Ｘ方向）の側縁部１４２ａは、第１係合片１４１と第２係合片１４２との間にディスク２を挟み込んだときに、ディスク２の外周部分と沿うように円弧状に形成されている。これにより、第１係合片１４１と第２係合片１４２との間にディスク２を挟み込んだときに、第２係合片１４２によりディスク２の外周部分が覆われないため、ディスク２の外周部分を含めた意匠性を損なうことがない。また、第１係合片１４１と第２係合片１４２との間にディスク２を挟み込んだときに、第２係合片１４２がディスク２と接する面積をより広くできる。
【００２２】
切り込み１４３の左右方向（Ｘ方向）の両端には、半円形の切り返し部１４３ａが設けられている。切り込み１４３の両端に切り返し部１４３ａを設けることにより、後述するように、ディスク２の出し入れが容易になると共に、ディスク２の第４領域４０の左右方向への移動を抑制できる。また、切り込み１４３の左右方向の両端に切り返し部１４３ａを設けることにより、切り込み１４３の末端部分での破れを抑制できる。
【００２３】
図１に示すように、第２係合片１４２の左右方向（Ｘ方向）における側縁部１４２ａの間の長さＬ４は、ディスク２の直径ｄよりも短く（例えば、数ミリ）設定されている。また、切り込み１４３の左右方向における切り返し部１４３ａの端部間の長さＬ５は、ディスク２の直径ｄよりも長く（例えば、数ミリ）設定されている。これにより、ディスク２が挿入される部分の左右方向に切り返し部１４３ａによる隙間が形成されるため、ディスク２を第１係合片１４１と第２係合片１４２との間で容易に出し入れできる。
【００２４】
また、後述するように、ディスク２にカバー（不図示）を被覆した場合でも、切り込み１４３の左右方向に切り返し部１４３ａによる数ミリの隙間が形成されるため、カバー付きのディスク２を、第１係合片１４１と第２係合片１４２との間で容易に出し入れできる。更に、切り込み１４３の左右方向の両端に切り返し部１４３ａが設けられているため、第１係合片１４１と第２係合片１４２との間に保持されたディスク２の左右方向（Ｘ方向）への移動を数ミリの範囲で抑制できる。そのため、第１係合片１４１と第２係合片１４２との間に挟み込まれたディスク２を、第４領域４０のほぼ中央に保持できる。
【００２５】
図１に示すように、本実施形態のケース１において、第１領域１０及び第２領域２０の長手方向（Ｙ方向）の長さＬ１は、第３領域３０の長手方向の長さＬ２と同じである。第４領域４０の長手方向の長さＬ３は、ディスク２の直径と同じ（又は僅かに長い）であって、且つ、長さＬ１（Ｌ２）よりも数ミリ短く設定されている。これにより、後述するように、ケース１の内部にディスク２を収納して使用する場合に、ディスク２を保持した第４領域４０が外部にはみ出さないようにケース１を折り畳むことができる。
【００２６】
次に、ケース１の内部にディスク２を収納して使用する形態について説明する。
図３（Ａ）〜（Ｃ）は、ケース１の内部にディスク２を収納する場合の手順を示す図である。
まず、図３（Ａ）に示すように、ケース１の第４領域４０に設けられた係合部１４０にディスク２を収納する。ディスク２は、係合部１４０において、切り込み１４３により分離された第１係合片１４１と第２係合片１４２との間に挟み込まれる。具体的には、図３（Ａ）において、ディスク２は、上側（Ｚ１側）に位置する第１係合片１４１と、下側（Ｚ２側）に位置する一対の第２係合片１４２との間に収納される。なお、ディスク２は、剥き出しの状態で収納してもよいし、カバー（不図示）で被覆した状態で収納してもよい。
【００２７】
次に、ケース１を第３折り曲げ部Ｓ３の位置で谷折りして、ディスク２を保持した第４領域４０を矢印Ａ１の方向（Ｙ２方向）に折り返し、第３領域３０の上に重ね合わせる。
次に、図３（Ｂ）に示すように、ケース１を第２折り曲げ部Ｓ２の位置で谷折りして、第１領域１０及び第２領域２０を矢印Ａ２の方向（Ｙ１方向）に折り返し、第４領域４０の上に重ね合わせる。これにより、図３（Ｃ）に示すように、第４領域４０に保持されたディスク２は、第３領域３０（不図示）と、第１領域１０及び第２領域２０との間に収納された状態となる。
【００２８】
ディスク２が収納されたケース１は、ビニール等の透明な包装材で被覆され、店頭や通販で販売されたり、雑誌や書籍の付録として添付されたりする。一方、ケース１と共にディスク２を入手した顧客は、ディスク２をケース１内に収納した状態で持ち歩いたり、保管したりできる。ディスク２が収納されたケース１は、全体が第３領域３０と同じ外形寸法となるため、持ち歩きや保管に適したコンパクトな形状となる。
【００２９】
また、本実施形態のケース１は、図１に示すように、第１領域１０の長さＬ１及び第２領域２０の長さＬ２が同じで且つ第４領域４０の長さＬ３がＬ１（Ｌ２）よりも数ミリ短く設定されている。そのため、ディスク２を保持した第４領域４０が、第３領域３０の外側にはみ出さないようにケース１を折り畳むことができる。これによれば、ディスク２が収納されたケース１の外形及び厚みを揃えることができるので、包装材による被覆や取り扱いが容易となる。
【００３０】
次に、ディスク２を保持したケース１を自立させて使用する形態について説明する。
図４（Ａ）、（Ｂ）及び図５（Ｃ）、（Ｄ）は、ケース１の組み立て手順を示す図である。
図６（Ａ）は、組み立てられたケース１を前側から見たときの斜視図である。図６（Ｂ）は、組み立てられたケース１を後側から見たときの斜視図である。
図７は、組み立てられたケース１の他の使用形態を示す斜視図である。
図８は、ケース１の他の実施形態を示す斜視図である。
【００３１】
なお、以下の実施形態では、展開したケース１の第２面Ｆ２が上側（Ｚ１側）となる状態から組み立てる例について説明する。また、以下の実施形態では、ディスク２を収納しない状態でケース１を組み立てる例について説明するが、ディスク２を収納した状態でケース１を組み立ててもよい。
【００３２】
まず、図４（Ａ）に示すように、ケース１を第１折り曲げ部Ｓ１の位置で谷折りして、第１領域１０を矢印Ａ３の方向（Ｙ１方向）に折り返す。また、ケース１を第２折り曲げ部Ｓ２の位置で谷折りして、第３領域３０及び第４領域４０を矢印Ａ４の方向（Ｙ２方向）に折り返す。なお、上述した第１領域１０、第３領域３０及び第４領域４０の折り返しの順番は、逆でもよい。
【００３３】
次に、図４（Ｂ）に示すように、ケース１を第３折り曲げ部Ｓ３の位置で谷折りして、第４領域４０を矢印Ａ５の方向（Ｚ２方向）に折り返す。
次に、図５（Ｃ）に示すように、第４領域４０の係合部１４０において、第２係合片１４２を内側（Ｙ１側）に押し込み、第１係合片１４１（不図示）と第２係合片１４２との間に第１領域１０の側縁部１０ａを挟み込む。そして、この状態から第４領域４０を矢印Ａ６の方向（Ｚ２方向）に押し下げる。これにより、図５（Ｄ）に示すように、第１領域１０側縁部１０ａが第４領域４０の係合部１４０と係合して、ケース１は、自立した状態となる。また、ケース１は、第１領域１０から第４領域４０までのそれぞれの第１面Ｆ１が外側を向くように断面が三角形状に組み立てられる。
【００３４】
組み立てられたケース１は、図６（Ａ）に示すように、第２領域２０を底面として、机、棚等の上に飾ることができる。このとき、第３領域３０の第１面Ｆ１が前側（Ｙ１側）となるように向きを調節することにより、顧客は、第３領域３０の第１面Ｆ１に形成された装飾Ｄ１を鑑賞できる。第３領域３０の第１面Ｆ１に形成された装飾Ｄ１が、例えば、イラストである場合、ケース１をイラストカードとして飾ることができる。また、第３領域３０の第１面Ｆ１に形成された装飾Ｄ１が、例えば、楽曲の歌詞である場合、ケース１をリリックカードとして飾ることができる。
【００３５】
組み立てられたケース１には、図６（Ｂ）に示すように、ディスク２を保持させることができる。具体的には、ディスク２を、第４領域４０の第１係合片１４１と一対の第２係合片１４２との間に挟み込むことにより、ディスク２をケース１に保持させることができる。なお、ディスク２の片面（非記録面）にイラスト、写真等が形成されている場合、その面が表側となるようにディスク２を保持させることにより、ケース１をディスクスタンドとして飾ることができる。
【００３６】
本実施形態のケース１は、第２面Ｆ２が上側（Ｚ１側）となるように展開させた状態において、各折り曲げ部（Ｓ１〜Ｓ３）を山折りすることによっても組み立てることができる。この場合の組み立ては、上述した手順において、谷折りとする個所を山折りにすればよい。各折り曲げ部を山折りにした場合、ケース１の形状は、図６（Ａ）と同じとなるが、第３領域３０の第２面Ｆ２に形成された装飾Ｄ２が外側を向くように断面が三角形状に組み立てられる。
【００３７】
また、組み立てられたケース１は、図７に示すように、第１領域１０、第２領域２０、第３領域３０及び第４領域４０の同一側縁を、図中の下側に向けた状態で机、棚等の上に飾ることもできる。組み立てられたケース１を図７のような形態で使用する場合、例えば、装飾Ｄ１が人物であれば、図７に示すように、人物の上下方向を第３領域３０のＸ方向（図１参照）と一致させておくことが望ましい。
【００３８】
また、ケース１に形成される装飾は、平面的な意匠に限らず、例えば、図８に示すような立体的な装飾であってもよい。図８は、ケース１の第３領域３０の第１面Ｆ１に、装飾として月捲りカレンダーＤ３を設けた例を示している。なお、ケース１に設けられる立体的な装飾は、月捲りカレンダーＤ３に限らず、例えば、日捲りカレンダー、メモ帳、カードホルダー等であってもよいし、上述した平面的な装飾と組み合わせてもよい。
【００３９】
上述した本実施形態のケース１によれば、例えば、以下のような効果を奏する。
本実施形態のケース１は、各折り曲げ部（Ｓ１〜Ｓ３）を折り曲げて、第１領域１０の側縁部１０ａを第４領域４０の係合部１４０と係合させることにより、各領域（１０〜４０）のそれぞれの同じ側の面が外側を向くように断面が三角形状に組み立てることができる。また、組み立てられたケース１の第４領域４０の係合部１４０にディスク２を係合させることにより、第４領域４０の外側にディスク２を保持させることができる。このように、本実施形態のケース１は、ディスク２を保持した状態で自立させることができるため、例えば、ケース１の外側の面にイラスト、歌詞等が形成されている場合、ケース１をイラストカードやリリックカードとして飾ることができる。
【００４０】
本実施形態のケース１は、各折り曲げ部（Ｓ１〜Ｓ３）を谷折りすることにより、第１面Ｆ１に形成された装飾Ｄ１が外側を向くように組み立てることができる。また、ケース１は、各折り曲げ部を山折りすることにより、第１面Ｆ１とは反対側の第２面Ｆ２に形成された装飾Ｄ２が外側を向くように組み立てることができる。したがって、本実施形態のケース１は、第１面Ｆ１に形成された装飾Ｄ１又は第２面Ｆ２に形成された装飾Ｄ２のどちらかを外側にして飾ることができる。これによれば、顧客は、自分の好みの装飾を選んで飾ることができるので、顧客の嗜好に適した形態でケース１を飾ることができる。
【００４１】
本実施形態のケース１において、第４領域４０の係合部１４０は、組み立て時において、第１係合片１４１と第２係合片１４２との間に第１領域１０の側縁部１０ａが挟み込まれることにより第１領域１０と係合する。また、第４領域４０の係合部１４０は、組み立て状態において、第１係合片１４１と第２係合片１４２との間にディスク２が挟み込まれることによりディスク２を保持できる。そのため、本実施形態のケース１は、組み立てられたケース１の形状を維持する機能と、ディスク２を保持する機能を、１つの係合部１４０で得ることができる。また、係合部１４０となる第１係合片１４１及び第２係合片１４２は、１つの切り込み１４３により形成されるため、第４領域４０への加工が容易となる。
【００４２】
本実施形態のケース１は、展開した状態において、第３折り曲げ部Ｓ３を谷折りして、ディスク２を保持した第４領域４０を第３領域３０に重ね合わせ、更に第２折り曲げ部Ｓ２を谷折りして、第１領域１０及び第２領域２０を第４領域４０に重ね合わせることにより、ディスク２を第３領域３０と、第１領域１０及び第２領域２０との間に収納できる（図３参照）。そのため、本実施形態のケース１によれば、内部に収納されたディスク２の汚れや傷付きをより効果的に抑制できる。
【００４３】
以上、本開示の実施形態について説明したが、本開示は、前述した実施形態に限定されるものではなく、後述する変形形態のように種々の変形や変更が可能であって、それらも本開示の技術的範囲内に含まれる。また、実施形態に記載した効果は、本開示から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００４４】
（変形形態）
実施形態では、ケース１を構成する第１領域１０〜第４領域４０を、１枚のシート状の部材により構成した例について説明したが、これに限定されない。第１領域１０〜第４領域４０を個別のシートとして形成し、接着剤、接着テープ等で接合した構成としてもよい。その場合、すべてのシートを同一の部材で形成してもよいし、異なる部材を組み合わせてもよい。
【００４５】
実施形態では、ケース１を構成する第１領域１０〜第４領域４０を、それぞれ単体で使用する例について説明したが、これに限定されない。例えば、所定の領域の表面に保護層となるフィルムを貼り付けてもよい。また、ケース１の組み立てやディスク２の保持に影響を与えない範囲において、所定の領域に穴やスリットを形成してもよい。これらの穴やスリットは、例えば、ケース１に意匠性を付与するために形成される。
【００４６】
実施形態では、ケース１の第３領域３０にのみ装飾（Ｄ１及びＤ２）を形成した例について説明したが、これに限定されない。装飾は、第３領域３０に限らず、どの領域のどの面に形成してもよい。また、ケース１において、いずれの領域にも装飾を形成しない形態としてもよい。
【符号の説明】
【００４７】
１    ケース
１ａ    第１の辺
１ｂ    第２の辺
１ｃ    第３の辺
１ｄ    第４の辺
１ｅ    第５の辺
１ｆ    第６の辺
１ｇ    第７の辺
１ｈ    第８の辺
１ｉ    第９の辺
１ｊ    第１０の辺
１０    第１領域
１０ａ    側縁部
２０    第２領域
３０    第３領域
４０    第４領域
１４０    係合部
１４１    第１係合片
１４２    第２係合片
Ｓ１    第１折り曲げ部
Ｓ２    第２折り曲げ部
Ｓ３    第３折り曲げ部
【図１】
2020196528.tif 000003
【図２】
2020196528.tif 000004
【図３】
2020196528.tif 000005
【図４】
2020196528.tif 000006
【図５】
2020196528.tif 000007
【図６】
2020196528.tif 000008
【図７】
2020196528.tif 000009
【図８】
2020196528.tif 000010